(57)【特許請求の範囲】
【請求項１】
光学情報の読み取りを行うデコーダーと、少なくとも数字キーを含むキーボードと、表示装置とを備える携帯型情報読取端末であって、
前記表示装置に複数のデータ入力欄を表示する入力欄表示手段と、
前記複数のデータ入力欄の少なくとも一部に、前記キーボードのキーの数字又は英字をそれぞれポップアップ表示するポップアップ表示手段と、
前記ポップアップ表示された数字又は英字のキーが操作された際に、光学情報の読み取りを行いデコードした結果を、当該数字又は英字のポップアップ表示された入力欄に表示するデコード結果表示手段と、を備えることを特徴とする携帯型情報読取端末。
【請求項２】
前記デコード結果表示手段は、前記ポップアップ表示された数字又は英字のキーが操作された際に、当該数字又は英字のポップアップ表示された入力欄が選択されたことを特定するための表示を行うことを特徴とする請求項１の携帯型情報読取端末。
【請求項３】
前記ポップアップ表示された数字又は英字のキーが操作され、光学情報の読み取りを行いデコードした結果が当該数字又は英字のポップアップ表示された入力欄に表示された後、引き続き、同じ数字又は英字のキーが再度操作された際に、
前記デコード結果表示手段は、今回、光学情報の読み取りを行いデコードした結果を、前回のデコード結果が表示されている入力欄の当該前回のデコード結果の後ろに引き続き表示することを特徴とする請求項１又は請求項２の携帯型情報読取端末。
【発明の詳細な説明】
【技術分野】
【０００１】
本発明は、バーコード等の一次元コード、及び、ＱＲコード（登録商標）等の二次元コードを読み取ることができる携帯型情報読取端末に関するものである。
【背景技術】
【０００２】
バーコード等の情報コードを用いて棚卸し作業を行う場合、バーコードの読み取りと、テンキーの操作による手動入力とを切り換えながら作業を行っている。ここで、バーコードの読み取り入力は、携帯型情報読取端末の表示装置に表示された複数の入力欄中で、所望の入力欄に予めカーソルを移動しておき、トリガーキーを押すことで一般的に行われている。特許文献１には、オペレータに現在入力を行っているフィールドの位置を明確に表示し、オペレータがカーソルを見失うことを防止するデータ表示方法が開示されている。
【特許文献１】特開平１０−１９８７４３号公報
【発明の開示】
【発明が解決しようとする課題】
【０００３】
しかしながら、従来技術の携帯型情報読取端末では、表示装置に表示された入力欄中で、所望の入力欄の選択と、トリガーキーの押圧との２回の操作が必要であるため、バーコード読取による入力作業に手間が掛かっていた。
【０００４】
本発明は、上述した課題を解決するためになされたものであり、その目的とするところは、一回のキー操作で所望のデータ入力欄へ読み取った光学情報のデータを入力することができる携帯型情報読取端末を提供することにある。
【課題を解決するための手段】
【０００５】
上記目的を達成するため、請求項１の発明は、光学情報の読み取りを行うデコーダー４０と、少なくとも数字キーを含むキーボード５０と、表示装置４６とを備える携帯型情報読取端末１０であって、
前記表示装置４６に複数のデータ入力欄を表示する入力欄表示手段（Ｓ２０）と、
前記複数のデータ入力欄の少なくとも一部に、前記キーボード５０のキーの数字又は英字をそれぞれポップアップ表示するポップアップ表示手段（Ｓ２８）と、
前記ポップアップ表示された数字又は英字のキーが操作された際に、光学情報の読み取りを行いデコードした結果を、当該数字又は英字のポップアップ表示された入力欄に表示するデコード結果表示手段（Ｓ５２）と、を備えることを技術的特徴とする。
【発明の効果】
【０００６】
請求項１の携帯型情報読取端末では、データ入力欄にキーボードのキーの数字又は英字をそれぞれポップアップ表示する。そして、ポップアップ表示された数字又は英字のキーが操作された際に、光学情報の読み取りを行いデコードした結果を、当該数字又は英字のポップアップ表示された入力欄に表示する。このため、データ入力欄の切り換え及びトリガーキーの押圧の２回の操作を行うことなく、１回のキー操作でデータ入力欄の選択と光学情報の読み取りとを行うことができる。即ち、１回のキー操作で所望のデータ入力欄へ読み取った光学情報のデータを入力することが可能となり、データ入力欄を選択する手間を省くことが可能となる。
【０００７】
請求項２の携帯型情報読取端末では、ポップアップ表示された数字又は英字のキーが操作された際に、当該数字又は英字のポップアップ表示された入力欄が選択されたことを特定するための表示を行う。このため、いずれのデータ入力欄が選択されたかを使用者に分かり易く表示できる。
【０００８】
請求項３の携帯型情報読取端末では、ポップアップ表示された数字又は英字のキーが操作され、光学情報の読み取りを行いデコードした結果が当該数字又は英字のポップアップ表示された入力欄に表示された後、引き続き、同じ数字又は英字のキーが再度操作された際に、今回、光学情報の読み取りを行いデコードした結果を、前回のデコード結果が表示されている入力欄の当該前回のデコード結果の後ろに引き続き表示する。このため、複数段に渡る情報コード、或いは、複数個の情報コードを読み取る際にも、特殊な操作を行うことなく、所望のデータ入力欄に複数の情報コードのデコード結果を連続して入力することができる。
【発明を実施するための最良の形態】
【０００９】
以下、本発明の携帯型情報読取端末の実施形態について図を参照して説明する。まず、第１実施形態に係る携帯型情報読取端末の構成を図１を参照して説明する。
バーコード等の一次元コード及びＱＲコード（登録商標）等の二次元コードを読み取ると共にテンキー入力が可能な携帯型情報読取端末１０は、上面に液晶表示器４６と、テンキー入力用のキースイッチ５０とが設けられている。側部には、読み取りを指示するトリガースイッチ２２が左右に設けられている。前部には、読み取りを行うための読取口１８が形成されている。
【００１０】
該携帯型情報読取端末１０の回路構成を図２のブロック図を参照して説明する。
携帯型情報読取端末１０には、回路部２０が設けられている。回路部２０は、主に、発光ダイオード２１、集光レンズ２４、受光センサ２３、結像レンズ２７等の光学系と、メモリ３５、制御回路４０、キースイッチ５０、トリガースイッチ２２、液晶表示器４６等のマイクロコンピュータ（以下「マイコン」という）系と、から構成されている。
【００１１】
まず、光学系から説明する。発光ダイオード２１は、照明光Ｌｆを照射可能な光照射器として機能するもので、拡散レンズと凸レンズとを組み合わせた集光レンズ２４により集光させる。受光センサ２３は、読取対象物ＲやバーコードＢに照射されて反射した反射光Ｌｒを結像レンズ２７を介して受光可能に構成されるイメージセンサから成る。結像レンズ２７は、外部から入射する入射光を集光して受光センサ２３の受光面２３ａに像を結像可能な結像光学系として機能するもので、例えば、鏡筒とこの鏡筒内に収容される複数の集光レンズとにより構成されている。
【００１２】
次に、マイコン系の構成概要を説明する。マイコン系は、増幅回路３１、Ａ／Ｄ変換回路３３、メモリ３５、アドレス発生回路３６、同期信号発生回路３８、制御回路４０、キースイッチ５０、トリガースイッチ２２、ＬＥＤ４３、ブザー４４、液晶表示器４６、通信インタフェース４８等から構成されている。このマイコン系は、その名の通り、マイコン（情報処理装置）として機能し得る制御回路４０およびメモリ３５と中心に構成されるもので、前述した光学系によって撮像された画像信号をハードウェア的およびソフトウェア的に信号処理し得るものである。また制御回路４０は、当該携帯型情報読取端末１０の全体システムに関する制御も行っている。
【００１３】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データは、メモリ３５に入力されて蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００１４】
制御回路４０は、携帯型情報読取端末１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、キースイッチ５０、トリガースイッチ２２、ＬＥＤ４３、ブザー４４、液晶表示器４６、通信インタフェース４８等が接続されている。
【００１５】
引き続き、第１実施形態の携帯型情報読取端末での情報コードの読み取りと、キースイッチによるキー入力とについて説明する。
図３（Ａ）は、商品の棚卸し作業用の液晶表示器４６での表示画面を示している。作業者名の入力用に入力欄０が設定され、商品のバーコードの読み取り入力用に入力欄１が設定され、製品番号の入力用に入力欄２が設定され、数量の入力用に入力欄３が設定される。ここで、図１中のキースイッチ５０中のＳＦキーが操作されると、図３（Ｂ）に示すようにキースイッチ５０中のテンキーと入力欄との対応を示す０、１、２、３の数字がそれぞれ対応するデータ入力欄にポップアップ表示される。対応を表す説明図である図４、及び、対応表である図５中に示すように、作業者名（入力欄０）にキースイッチ５０中の０キーが割り当てられる。同様に、商品バーコード（入力欄１）にキースイッチ５０中の１キーが割り当てられ、製品番号（入力欄２）にキースイッチ５０中の２キーが割り当てられ、数量（入力欄３）にキースイッチ５０中の３キーが割り当てられる。
【００１６】
作業者は、先ず、入力欄０に作業者名を入力する場合には、作業者名を示すバーコードに対して携帯型情報読取端末の読取口１８を向けると共に、キースイッチ５０中の０キーを押圧する。これにより、図６（Ａ）に示すように、カーソルＣが入力欄０に表示され、当該入力欄０が選択されたことを特定した後、携帯型情報読取端末は当該バーコードを読み取り、デコード結果を入力欄０に表示する。
【００１７】
作業者が、例えば、商品バーコードの読み取りに先立ち、商品の個数を入力する場合、図１０に示す個数入力用のバーコード表を用いて入力を行う。例えば、商品個数が６個の時には、先ず、図１０に示す個数入力用のバーコード表の６に対応するバーコードに対して携帯型情報読取端末の読取口１８を向けると共に、キースイッチ５０中の３キーを押圧する。これにより、図６（Ａ）を参照して上述したと同様にして、カーソルＣが入力欄３に表示され、当該入力欄３が選択されたことを特定した後、携帯型情報読取端末は当該バーコードを読み取り、デコード結果（個数６）を入力欄３に表示する。
【００１８】
その後、作業者が、例商品バーコードの読み取りを行う場合、読み取り対象の商品のバーコードに対して携帯型情報読取端末の読取口１８を向けると共に、キースイッチ５０中の１キーを押圧する。これにより、図６（Ａ）を参照して上述したと同様にして、カーソルＣが入力欄１に表示され、当該入力欄１が選択されたことを特定した後、携帯型情報読取端末は当該バーコードを読み取り、デコード結果を入力欄１に表示する。
【００１９】
作業者が、製品番号を入力する場合、図９に示す製品番号入力用のバーコード表を用いて入力を行う。例えば、商品番号が００８個の時には、先ず、図９に示す個数入力用のバーコード表の００８に対応するバーコードに対して携帯型情報読取端末の読取口１８を向けると共に、キースイッチ５０中の２キーを押圧する。これにより、図６（Ａ）を参照して上述したと同様にして、カーソルＣが入力欄２に表示され、当該入力欄２が選択されたことを特定した後、携帯型情報読取端末は当該バーコードを読み取り、図７（Ａ）に示すようにデコード結果（製品番号００８）を入力欄２に表示する。
【００２０】
第１実施形態の携帯型情報読取端末１０では、製品番号を続けて入力したい場合、例えば、００８に続けて００９を入力したい時には、図９に示す個数入力用のバーコード表の００９に対応するバーコードに対して携帯型情報読取端末の読取口１８を向けると共に、キースイッチ５０中の２キーを押圧する。これにより、カーソルＣが入力欄２に表示され、当該入力欄２が選択されたことを特定した後、携帯型情報読取端末は当該バーコードを読み取り、図７（Ｂ）に示すように前回のデコード結果（０００８）に引き続き今回のデコード結果（００９）を入力欄２に表示する。この操作を更に繰り返すことで、３以上のバーコードを読み取った結果を連続して表示させることができる。
【００２１】
上述した携帯型情報読取端末での処理について、当該処理を示す図８のフローチャートを参照して説明する。
まず、表示情報を取得し（Ｓ１２）、入力欄に番号が有るかを判断し（Ｓ１４）、番号が無い場合には（Ｓ１４：Ｎｏ）、番号を連番として付与する（Ｓ１６）。そして、図５を参照して上述したように、入力欄名と割り当て番号とキースイッチとの対応を記憶する（Ｓ１８）。そして、図３（Ａ）を参照して上述したように、入力欄を表す入力画面を描画する（Ｓ２０）。引き続き、キー入力に対する処理を行う（Ｓ２２）。
【００２２】
ここで、キー入力に対する番号表示が操作された場合、すなわち、図１中に示すキースイッチ５０中のＳＦキーが操作された際には（Ｓ２４：Ｙｅｓ）、番号表示がされていない場合には（Ｓ２６：Ｎｏ）、図３（Ｂ）に示すように、キースイッチ５０中のテンキーと入力欄との対応を示す０、１、２、３の数字を各データ入力欄にそれぞれポップアップ表示する（Ｓ２８）。既に番号表示が成されている場合には（Ｓ２６：Ｙｅｓ）、ポップアップ表示を止めて図３（Ａ）に示す入力画面を表示する（Ｓ３０）。
【００２３】
一方、番号表示のあるテンキー（０、１、２、３）のいずれかが押された際には（Ｓ３２：Ｙｅｓ）、先ず、図６（Ａ）を参照して上述したように、該当する番号の入力欄へ移動し、カーソルＣを表示し（Ｓ４２）、情報コードの読み取りを行う（Ｓ４４）。そして、読み取りが成功した場合には（Ｓ４６：Ｎｏ）、今回操作されたテンキーが前回と同じか、即ち、入力欄が同じかを判断し（Ｓ４８）、前回と異なる場合には（Ｓ４８：Ｎｏ）、入力欄に表示されている前回の情報を削除し（Ｓ５０）、今回読み込んだ情報を入力欄に表示すると共に当該情報を入力する（Ｓ５２）。他方、今回操作されたテンキーが前回と同じ場合には（Ｓ４８：Ｙｅｓ）、図７（Ｂ）を参照して上述したように、今回読み取った情報を前回の情報の末尾に追加する（Ｓ５４）。一方、読み取りに失敗した場合には（Ｓ４６：Ｙｅｓ）、Ｓ２０の処理に戻る。
【００２４】
ここで、番号表示のあるテンキー（０、１、２、３）以外が押された際には（Ｓ３２：Ｎｏ）、番号のポップアップ表示が成されている場合には（Ｓ３４：Ｙｅｓ）、ポップアップ表示を止めて（Ｓ３６）、キー入力情報を読み込み（Ｓ３８）、通常のキー入力に対する処理、例えば、テンキー入力に対する処理を行う（Ｓ４０）。そして、入力の終了により（Ｓ５６：Ｙｅｓ）、処理を終了する。
【００２５】
第１実施形態の携帯型情報読取端末１０では、データ入力欄にキースイッチ５０のキーの数字をそれぞれポップアップ表示する。そして、ポップアップ表示された数字のキーが操作された際に、バーコードの読み取りを行いデコードした結果を、当該数字のポップアップ表示された入力欄に表示する。このため、データ入力欄の切り換え及びトリガーキーの押圧の２回の操作を行うことなく、１回のキー操作でデータ入力欄の選択とバーコードの読み取りを行うことができる。即ち、１回のキー操作で所望のデータ入力欄へ読み取ったバーコードのデータを入力することが可能となり、データ入力欄を選択する手間を省くことが可能となる。このため、データ入力欄を順送りでは無く、飛ばして入力したい場合には特に入力の手間が無くなる。
【００２６】
第１実施形態の携帯型情報読取端末では、ポップアップ表示された数字のキーが操作され、バーコードの読み取りを行いデコードした結果が当該数字のポップアップ表示された入力欄に表示された後、引き続き、同じ数字のキーが再度操作された際に、今回、バーコードの読み取りを行いデコードした結果を、前回のデコード結果が表示されている入力欄の当該前回のデコード結果の後ろに引き続き表示する。このため、複数段に渡る情報コード、或いは、複数個の情報コードを読み取る際にも、特殊な操作を行うことなく、所望のデータ入力欄に複数の情報コードのデコード結果を連続して入力することができる。
【００２７】
第１実施形態の携帯型情報読取端末では、ポップアップ表示された数字のキーが操作された際に、図６（Ａ）を参照して上述したように当該数字のポップアップ表示された入力欄が選択されたことを特定するためのカーソルＣを表示する。このため、いずれのデータ入力欄が選択されたかを使用者に分かり易く表示できる。なお、第１実施形態では、カーソルＣをデータ入力欄に表示したが、この代わりに、図６（Ｂ）に示すように該当するデータ入力欄の色を変えたり、或いは、図６（Ｃ）に示すように該当するデータ入力欄の枠を強調することで、いずれのデータ入力欄が選択されたかを表示することも可能である。
【産業上の利用可能性】
【００２８】
上述した実施形態では、キースイッチのテンキーをデータ入力欄に割り当てたが、キースイッチ又はキーボードのアルファベット等の英文字をデータ入力欄に割り当て、ポップアップ表示することもできる。さらに、携帯型情報読取端末では、バーコードを読み取る構成について説明したが、バーコード等の一次元コードに限らず、ＱＲコード等の二次元コードの読み取りにも本発明の構成は適用可能であることは言うまでもない。また、本発明の構成は、携帯型情報読取端末として情報読取装置の他、携帯電話等にも適用可能である。
【図面の簡単な説明】
【００２９】
【図１】本発明の第１実施形態に係る携帯型情報読取端末の構成を示す説明図である。
【図２】第１実施形態の携帯型情報読取端末の回路構成を示すブロック図である。
【図３】第１実施形態の携帯型情報読取端末の液晶表示器の表示画面の説明図である。
【図４】キースイッチ中のテンキーと入力欄との対応を示す説明図である。
【図５】入力欄名と割り当て番号とキースイッチ中のテンキーとの対応を示す対応表である。
【図６】第１実施形態に係る携帯型情報読取端末の液晶表示器の表示画面の説明図である。
【図７】第１実施形態に係る携帯型情報読取端末の液晶表示器の表示画面の説明図である。
【図８】第１実施形態の携帯型情報読取端末での処理を示すフローチャートである。
【図９】製品番号入力用のバーコード表の説明図である。
【図１０】個数入力用のバーコード表の説明図である。
【符号の説明】
【００３０】
１０  携帯型情報読取端末
１８  読取口
４０  制御回路（デコーダー）
４６  液晶表示器（表示装置）
５０  キースイッチ（キーボード）
Ｃ  カーソル
【図１】
0004915307.tif 000002
【図２】
0004915307.tif 000003
【図３】
0004915307.tif 000004
【図４】
0004915307.tif 000005
【図５】
0004915307.tif 000006
【図６】
0004915307.tif 000007
【図７】
0004915307.tif 000008
【図８】
0004915307.tif 000009
【図９】
0004915307.tif 000010
【図１０】
0004915307.tif 000011